(57)【特許請求の範囲】
【請求項１】
内側に空間を有する半球状の下筐体１１と、
内側に空間を有する半球状であって内側から外側に光を透過する上筐体１２と、で構成され、前記下筐体の開口端と前記上筐体の開口端とを合わせて内側に収納空間を画成する筐体１と、
前記筐体１の前記収納空間に配設された、電源板２、ＬＥＤモジュール３、モジュールベース４、制御装置モジュール５、モジュール蓋５２、検出モジュール下蓋６７、および、検出モジュール６、を備え、
前記ＬＥＤモジュール３の光が前記上筐体１２を透過して周囲を照明するモジュール化照明装置であって、
前記電源板２は、前記下筐体１１の内側に配設されており、
前記ＬＥＤモジュール３は、前記電源板２よりは上側であって前記下筐体の開口面の付近に配設されており、
前記ＬＥＤモジュール３は、ＬＥＤ基板と、前記ＬＥＤ基板上に配設された複数のＬＥＤ３１と、を有し、
前記モジュールベース４は、前記ＬＥＤ基板に嵌め込まれ、
前記制御装置モジュール５は、前記モジュールベース４の内側に収納され、
前記制御装置モジュール本体部の上側面の中央において上方に突き出すように設けられた鏡筒部の上端には撮像用のレンズが設けられており、
前記モジュール蓋５２は、前記鏡筒部を通過させる蓋貫通孔を有し、前記モジュールベース４に前記制御装置モジュール本体部を収納した状態で前記モジュールベース４の開口端に取り付けられ、
検出モジュール下蓋６７は、前記モジュール蓋５２の上に重ねて配設されており、
前記検出モジュール下蓋６７は、
中央に前記鏡筒部を通過させる下蓋貫通孔を有する検出モジュール下蓋板部を有し、
前記検出モジュールは、
前記鏡筒部を通過させる基板貫通孔を有する基板６１と、
前記基板６１上において前記基板貫通孔の周囲を囲むように配設された複数のセンサー６２と、
前記複数のセンサー６２のそれぞれに被せられた絶縁カバー６８と、を有し、
前記上筐体１２の頂上には、前記鏡筒部を通過させて前記レンズ５１を外部に露出させる中央位置決め孔が設けられ、
さらに、前記上筐体１２の前記中央位置決め孔の周囲には、前記複数のセンサーのそれぞれを通過させて各前記センサーの上端を外部に露出させるための複数の周辺位置決め孔が設けられている
ことを特徴とするモジュール化照明装置。
【請求項２】
内側に空間を有する半球状の下筐体１１と、
前記下筐体１１の開口端に連結される両端が開口した筒状の固定カバー７３と、
内側に空間を有する半球状であって内側から外側に光を透過する上筐体１２と、で構成され、前記固定カバー７３の開口端と前記上筐体の開口端とを合わせて、前記下筐体１１、前記固定カバー７３および前記上筐体１２の内側に収納空間を画成する筐体１と、
前記筐体１の前記収納空間に配設された、電源板２、回転球台７、ＬＥＤモジュール３、モジュールベース４、制御装置モジュール５、モジュール蓋５２、検出モジュール下蓋６７、および、検出モジュール６、を備え、
前記ＬＥＤモジュール３の光が前記上筐体１２を透過して周囲を照明するモジュール化照明装置であって、
前記電源板２は、前記下筐体１１の内側に配設されており、
前記回転球台７は、前記電源板２の上に配置された半球状の凹部を有するすり鉢状の台座７２と、内側に空間を有するとともに外形が前記台座７２の凹部に嵌まる半球上であって前記台座７２に対して相対的に回動自在に設けられた球体71と、を有し、
前記ＬＥＤモジュール３は、前記球体71の内側であって、前記球体71の開口面の付近に配設されており、
前記ＬＥＤモジュール３は、ＬＥＤ基板と、前記ＬＥＤ基板上に配設された複数のＬＥＤ３１と、を有し、
前記モジュールベース４は、前記ＬＥＤ基板に嵌め込まれ、
前記制御装置モジュール５は、前記モジュールベース４の内側に収納され、
前記制御装置モジュール本体部の上側面の中央において上方に突き出すように設けられた鏡筒部の上端には撮像用のレンズが設けられており、
前記モジュール蓋５２は、前記鏡筒部を通過させる蓋貫通孔を有し、前記モジュールベース４に前記制御装置モジュール本体部を収納した状態で前記モジュールベース４の開口端に取り付けられ、
検出モジュール下蓋６７は、前記モジュール蓋５２の上に重ねて配設されており、
前記検出モジュール下蓋６７は、
中央に前記鏡筒部を通過させる下蓋貫通孔を有する検出モジュール下蓋板部を有し、
前記検出モジュール６は、
前記鏡筒部を通過させる基板貫通孔を有する基板６１と、
前記基板６１上において前記基板貫通孔の周囲を囲むように配設された複数のセンサー６２と、
前記複数のセンサー６２のそれぞれに被せられた絶縁カバー６８と、を有し、
前記上筐体１２の頂上には、前記鏡筒部を通過させて前記レンズ５１を外部に露出させる中央位置決め孔が設けられ、
さらに、前記上筐体１２の前記中央位置決め孔の周囲には、前記複数のセンサーのそれぞれを通過させて各前記センサーの上端を外部に露出させるための複数の周辺位置決め孔が設けられている
ことを特徴とするモジュール化照明装置。
【請求項３】
ＬＥＤモジュール３と、
回転球台７と、
内側に空間を有する半球状であって内側から外側に光を透過する上筐体１２と、を有し、
前記ＬＥＤモジュール３は、ＬＥＤ基板と、前記ＬＥＤ基板上に配設された複数のＬＥＤ３１と、を有し、
前記回転球台７は、
前記ＬＥＤ基板内に配設されていて半球状の凹部を有するすり鉢状の台座７２と、
内側に空間を有するとともに外形が前記台座７２の凹部に嵌まる半球上であって前記台座７２に対して相対的に回動自在に設けられた球体７１と、を有し、
前記球体７１の開口端と前記上筐体の開口端とを合わせて、前記球体７１と前記上筐体１２の内側に収納空間を画成しており、
さらに、前記収納空間に配設された、モジュールベース４、制御装置モジュール５、モジュール蓋５２、検出モジュール下蓋６７、および、検出モジュール６、を備え、
前記ＬＥＤモジュール３の光で周囲を照明するモジュール化照明装置であって、
前記モジュールベース４は、有底筒状であって、前記球体７１の内側に位置決めされ、
前記制御装置モジュール５は、
前記モジュールベース４の内側に収納され、
前記制御装置モジュール本体部の上側面の中央において上方に突き出すように設けられた鏡筒部の上端には撮像用のレンズが設けられており、
前記モジュール蓋５２は、前記鏡筒部を通過させる蓋貫通孔を有し、前記モジュールベース４に前記制御装置モジュール本体部を収納した状態で前記モジュールベース４の開口端に取り付けられ、
検出モジュール下蓋６７は、前記モジュール蓋５２の上に重ねて配設されており、
前記検出モジュール下蓋６７は、
中央に前記鏡筒部を通過させる下蓋貫通孔を有する検出モジュール下蓋板部を有し、
前記検出モジュール６は、
前記鏡筒部を通過させる基板貫通孔を有する基板６１と、
前記基板６１上において前記基板貫通孔の周囲を囲むように配設された複数のセンサー６２と、
前記複数のセンサー６２のそれぞれに被せられた絶縁カバー６８と、を有し、
前記上筐体１２の頂上には、前記鏡筒部を通過させて前記レンズ５１を外部に露出させる中央位置決め孔が設けられ、
さらに、前記上筐体１２の前記中央位置決め孔の周囲には、前記複数のセンサーのそれぞれを通過させて各前記センサーの上端を外部に露出させるための複数の周辺位置決め孔が設けられている
ことを特徴とするモジュール化照明装置。
【請求項４】
請求項１から請求項３のいずれかに記載のモジュール化照明装置において、
前記制御装置モジュール5はさらに、画像記録のための撮影モジュールと、遠隔操作のための無線通信モジュールと、検出モジュール6のデータを分析するための感知モジュールと、前記撮影モジュールへの接続を操作するためのマイクロプロセッサモジュールを備える
ことを特徴とするモジュール化照明装置。
【請求項５】
請求項１から請求項４のいずれかに記載のモジュール化照明装置において、
前記検出モジュール６の前記複数のセンサーは、
筐体外部の有害な気体を検出するのに用いられるガス気体センサー、
筐体外部の気圧を検出するのに用いられる圧力センサー、
筐体外部の環境における温度・湿度を検出するのに用いられる温湿度センサー、
筐体外部の人の体温または移動を検出するのに用いられ、前記ＬＥＤモジュール照明または前記制御装置モジュールの録画を起動させる体温センサー、
筐体外部の煙霧を検出するのに用いられる煙霧センサー、および、
筐体外部の環境における浮遊粒子含有量を検出するのに用いられる空気センサー、のうちから選択されるセンサーである
ことを特徴とするモジュール化照明装置。
【発明の詳細な説明】
【技術分野】
【０００１】
本発明は、多検出機能を有するモジュール化照明装置に関し、特に、モジュール化された各構成部品を照明裝置内で組み立てるとともに、数種類の検出装置を設置することにより異なるモジュールを係合して適用することができることで、適用範囲をさらに広げてさらに多くの照明器具に適用することができるようにする照明装置に関する。
【背景技術】
【０００２】
発光ダイオード（Ｌｉｇｈｔ  Ｅｍｉｔｉｎｇ  Ｄｏｉｄｅ、ＬＥＤ）の技術が進歩するにつれて、使用者の数も相対的に増え、各製造業者は、省エネ、照明に関する技術の研究を続けるほか、市販の商品を徐々に多種類の機能面で発展させている。
【０００３】
しかしながら、市販の多機能検出型のＬＥＤ製品におけるＬＥＤ光源は、一般的な表示用、または緊急照明用の場合を除いてどれも照明時間が短く、長時間の照明に適用できる複合型ＬＥＤ製品はこれまでにもずっとなかった。多種検出機能を有するＬＥＤ製品は、体積が相当大きい上、据え付けることができる環境も相当制限される。ＬＥＤを長時間使用できる状況であるとしても、前記タイプの商品の温度が検出の正確さにかなりの影響を及ぼす。さらに、前記タイプの商品が光学検出の方法を採用する場合、さらにＬＥＤの光線屈折に影響が及ばないかどうかも考慮する必要がある。そのため、上述の多種類の検出と長時間の照明を必要とする使用者は、お金を払って別に独立した検出システムを構築せざるを得ない。
【０００４】
本発明者らは、ＬＥＤに関する研究開発、製造を長年手がけており、その間にＥＵ特許第ＥＰ２５７０７２３Ｂ１号の撮影監視制御機能を有する感知発光モジュール、及び日本特許第５４８１６５２号の撮影監視制御機能を有する感知発光モジュールを取得している。主に、ＬＥＤが生成する光源に関し、全体的に光源を隔離する構造設計を採用し、撮影装置のレンズが光源の影響を受けないようにしている。従来技術の不便な部分に鑑みて、本発明者らは、光源を隔離する目的を基礎とすることによって、数種類の異なるセンサー機能を備えるとともに長時間照明できる照明器具を研究開発することにより、多種類の検出機能及び長時間の照明を必要とする使用者の必要を満たす。
【先行技術文献】
【特許文献】
【０００５】
【特許文献１】ＥＵ特許第ＥＰ２５７０７２３Ｂ１号明細書
【特許文献２】日本特許第５４８１６５２号明細書
【発明の概要】
【発明が解決しようとする課題】
【０００６】
本発明は、主に、数種類の検出機能を備える感知モジュールと制御装置モジュールを連結することにより、ＬＥＤモジュール及び電源板を係合して電気的に接続して駆動し、照明裝置が多種検出と長時間照明、及び録画の機能を備えるようにするとともに、使用目的の違いに応じて供給側が選択及び取り替えることができるようにし、さらに回転する球台の設計を採用することで、検出及び録画の範囲を調整することができ、照明裝置の据え付け環境に課される制限を少なくする多検出機能を有するモジュール化照明装置を提供することを目的とする。
【課題を解決するための手段】
【０００７】
上述の目的を達成するため、本発明は以下の技術案を提供する。
【０００８】
多検出機能を有するモジュール化照明装置は、筐体と、ＬＥＤモジュールと、検出モジュールと、制御装置モジュールと、電源板と、からなる。
【０００９】
前記筐体の前端は、複数の位置決め孔を備える。
【００１０】
前記検出モジュールは、基板に設けられる複数のセンサーによって構成され、前記センサーは、前記位置決め孔内に嵌設される。
【００１１】
前記制御装置モジュールの前端は、前記位置決め孔内に嵌設されるレンズを備え、前記制御装置モジュールは、前記検出モジュールの真ん中を通り抜ける。
【００１２】
前記電源板は、前記ＬＥＤモジュールと、前記検出モジュールと、前記制御装置モジュールに電気的に接続され、前記制御装置モジュールによって前記ＬＥＤモジュールを駆動させる。前記検出モジュールは、対応して機能するとともに、広範囲における検出、録画及び照明の機能を備える。
【００１３】
多検出機能を有するモジュール化照明装置は、筐体と、ＬＥＤモジュールと、回転球台と、検出モジュールと、制御装置モジュールと、固定カバーと、電源板と、からなる。
【００１４】
前記回転球台は、台座と球体によって構成され、前記球体の前端は、複数の位置決め孔を備える。
【００１５】
前記検出モジュールは、基板に設けられる複数のセンサーによって構成され、前記センサーは、位置決め孔内に嵌設される。
【００１６】
前記制御装置モジュールの前端は、前記位置決め孔内に嵌設されるレンズを備え、前記制御装置モジュールは、前記検出モジュールの真ん中を通り抜ける。
【００１７】
前記固定カバーは、前記回転球台の外側に設けられるとともに、前記筐体の上方部に連結され、前記球体の回転範囲を制限するのに用いられる。
【００１８】
前記電源板は、前記ＬＥＤモジュールと、前記検出モジュールと、前記制御装置モジュールに電気的に接続され、前記制御装置モジュールによって前記ＬＥＤモジュールと前記検出モジュールを対応して機能させるとともに、広範囲における検出、録画及び照明の機能を備え、検出モジュールと制御装置モジュールが適切な角度に調整できるようにする。
【発明の効果】
【００１９】
従来技術の欠点と比較して、本発明は、検出モジュールと制御装置モジュール間の構造の連結によって、各種照明器具（一般的なＬＥＤの電球、シーリングライト、ダウンライト、天井灯、蛍光灯、壁灯…等）に広く適用することができるとともに、異なる検出データに基づいて対応する各モジュールを起動させる。さらにＬＥＤモジュールによって生成される屈折光線の妨害及び温度の影響を解決することができ、照明及び検出の機能が正常に適用されるようにし、供給側は異なる必要に応じて各モジュールの構成部品を選択及び取り替えることができることで、モジュール化された配置は、異なる機能の適用目的を達成することができる。本発明が上述の目的を達成していることを審査委員がより理解しやすいように、特徴的に採用する技術手段及びその効果について、比較的好ましい実施例を例として挙げるとともに図と組み合わせて以下で説明する。
【図面の簡単な説明】
【００２０】
【図１】本発明の斜視図である。
【図２】本発明の断面図である。
【図３】本発明の分解図である。
【図４】本発明を別の角度から見た分解図である。
【図５】本発明の実施例２における断面図である。
【図６】本発明の実施例３における断面図である。
【図７】本発明の実施例４における断面図である。
【図８】本発明の実施例５における断面図である。
【図９】本発明の実施例６における断面図である。
【図１０】本発明の実施例７における断面図である。
【図１１】本発明の別の実施例における断面図である。
【発明を実施するための形態】
【００２１】
本発明における前記最も好ましい実行可能な実施例に基づき、図と組み合わせて詳しく説明することで、本発明についてさらに理解できるものとする。
【００２２】
参照する図１〜図４に示す通り、本発明の多検出機能を有するモジュール化照明装置は主に、主に上筐体１２及び下筐体１１によって構成される筐体１からなり、前記筐体１の内部には検出モジュール６と、制御装置モジュール５と、ＬＥＤモジュール３と、電源板２が設けられる。この電源板２と検出モジュール６、制御装置モジュール５とＬＥＤモジュール３は電気的に接続され、ＬＥＤモジュール３には１つまたは複数以上のＬＥＤ３１が設けられる。前記下筐体１１内にはスピーカーモジュール１１１が設けられ、制御装置モジュール５に係合して接続され、駆動することができる。上筐体１２は、複数の位置決め孔１２１及び複数の位置決め柱１２２を備え、この複数の位置決め孔１２１は、前記レンズ５１とセンサー６２に対面して嵌設される。検出モジュール６は、基板６１に設けられる複数のセンサー６２によって構成され、前記センサー６２の外部には、対応する数の絶縁カバー６８が嵌合されるとともに、検出モジュール下蓋６７が前記基板６１の下方に設けられる。主に前記検出モジュール６が妨害されるのを防ぐため、この基板６１上には、さらに設定表示灯６３と、ＬＥＤ回転灯６４と、マイク６５と、位置決めねじ穴６６が設けられる。この設定表示灯６３は、主に一時的に点滅状態を示し、さらに操作指令が正常に作動しているかどうかを判別する。前記ＬＥＤ回転灯６４は主に、受信した制御装置モジュール５が伝達する検出目標が検知條件を満たすと、連続してまたは繰り返し点滅した状態を示す。さらに前記ＬＥＤ回転灯６４の数は限定されず、実際の必要に応じて増減することができる。マイク６５は、音を受信するのに用いられ、さらに制御装置モジュール５によって処理された後、関連モジュールに係合して送信する。位置決めねじ穴６６は、ねじと上筐体１２の位置決め柱１２２に係合して螺合固定される。
【００２３】
制御装置モジュール５は、主にモジュールベース４とモジュール蓋５２によって、異なる機能のモジュールに係合して実装することによって構成される。前記モジュールベース４の側縁には、さらにアンテナ台４１が設けられ、前記アンテナ台４１は主に信号と関係のあるアンテナを置くのに用いられる。前記制御装置モジュール５の前端はレンズ５１を備え、前記レンズ５１の外套にはレンズカバー５３が設けられる。さらに制御装置モジュール５は、前記検出モジュール６の真ん中に穿設されるとともに、モジュールベース４に係合することによってねじで固定される。前記ＬＥＤモジュール３は、下筐体１１の上方周縁の溝とねじによって螺合固定され、前記レンズ５１を前記位置決め孔１２１内に嵌設する。全体構造は、上筐体１２が絶縁カバー６８及びレンズカバー５３を係合することによって、センサー６２とレンズ５１が前記上筐体１２内に完全に嵌設されるようにする。さらに検出モジュール下蓋６７が前記検出モジュール６の下方に設けられることによって、制御装置モジュール５と検出モジュール６がＬＥＤモジュール３が生成する屈折光線と高温を遮断することができるようにし、それにより検出モジュールが検知条件に基づいて、正常に制御装置モジュール５が関連して作動するようにする。
【００２４】
本発明の実施例２において、参照する図５に示す通り、前記照明器具は、壁灯の一部を応用したものである。前記のような設置方法は、上述の実施例によりＬＥＤモジュール３及び電源板２、またはその他の回路基板を分離して設置するとともに、検出モジュール６及び制御装置モジュール５以外の簡単な構造の変更に組設され、さらに多種類の照明器具に適用することができるとともに、これに制限されない。
【００２５】
参照する図６に示す通り、本発明の実施例３は、筐体１と、検出モジュール６と、制御装置モジュール５と、回転球台７と、からなる。その上方には固定カバー７３が連結され、前記固定カバー７３は、前記回転球台７の外側に設けられ、前記球体７１の回転範囲を制限するのに用いられる。検出モジュール６は、基板６１に設けられる複数のセンサー６２によって構成され、前記センサー６２の外部には、対応する数の絶縁カバー６８が嵌合され、この絶縁カバー６８は、ＬＥＤモジュールから光線及び温度を遮断するのに用いられる。制御装置モジュール５の前端は、レンズ５１を備えるとともに、レンズカバー５３が嵌合される。回転球台７は、台座７２と球体７１によって構成され、その球体７１は、主に２つの半球からなり、そのうち球体７１の前端部分は、複数の位置決め孔１２１を備える上筐体１２である。前記球体７１の後端部には放熱材料が設けられ、前記制御装置モジュール５は、前記検出モジュール６を穿設し、前記球体７１の内部に設置される。これにより、各位置決め孔１２１内には、互いに対応するセンサー６２及びレンズ５１が嵌設され、検出モジュール６を正常に作動させることができ、ＬＥＤモジュール３が生成する屈折光線による妨害及び高温の影響を受けないようにし、制御装置モジュール５によって撮影する。さらに固定カバー７３によって前記球体７１の回転範圍を制限することで、検出モジュール６と制御装置モジュール５は、適切な角度に調整することができる。この実施例において従来と異なる点は、同樣に照明器具の構造に回転機能が加えられることで、様々な方向、角度に調整することができる点で、全体的な適用性もさらに広がる。
【００２６】
参照する図７〜図１１に示す通り、本発明の実施例４〜実施例８の主な構造は、前実施例において述べた回転球台７であり、ＬＥＤモジュール３を前記球体７１の外に設ける簡単な構造変化によって、さらにそれを例えば、蛍光灯、シーリングライト、ダウンライト、天井灯…等の様々な照明器具に適用することができるとともに、適用範囲は上述の各照明器具に限定されない。
【００２７】
上述の各実施例において、そのうち前記制御装置モジュールは、さらに画像記録のための撮影モジュールと、遠隔操作のためのＷＩＦＩモジュールと、検出モジュールのデータを分析するための感知モジュールと、上述の撮影モジュールへの接続を操作するためのマイクロプロセッサモジュールを備える。ＷＩＦＩモジュールと、感知モジュールと、マイクロプロセッサモジュールによって互いに対応する動作が駆動されるとともに、撮影モジュールと、ＷＩＦＩモジュールと、感知モジュールと、マイクロプロセッサモジュールは、必要に応じて生産側により取り替えることができる。さらに使用者または生産側から、モバイルアプリケーション（ｍｏｂｉｌｅ  ａｐｐｌｉｃａｔｉｏｎ、ＡＰＰ）によって上述の動作をオフにしたりオンにしたりすることができるとともに、上述のモジュールの種類に限定されない。
【００２８】
検出モジュールはさらに、主に筐体１の外部における、キッチンのガス、浴室における一酸化炭素またはその他の有害な気体といった有害な気体を検出するのに用いられるガス気体センサーと、主に筐体外部の気圧を検出するのに用いられ、例えば、天気が変わり雨が降るかどうかを感応するのに適用される圧力センサーと、主に筐体１外部の環境における温度・湿度を検出するのに用いられ、例えば、環境の湿度を調整するのに適用される温湿度センサーと、主に筐体１外部の人の体温または移動を検出するのに用いられることで、照明が起動するのを感応したり、レンズが撮影するのを感応したりするのに適用される体温センサーと、主に筐体１外部の環境における煙霧を検出するのに用いられ、例えば、火災を警報するまたは禁煙の場所に適用される煙霧センサーと、主に筐体１外部の環境における浮遊粒子含有量が基準を超えていないかどうかを検出するのに用いられ、例えば、環境におけるスモッグを検出するのに適用され、さらに使用者にマスクを携帯するよう促すまたはその他の関連するアドバイスを提供する空気センサーを備える。ガス気体センサー、圧力センサー、温湿度センサー、体温センサー、煙霧センサー、空気センサーは、前記筐体１外部の環境条件が起動の基準を満たしているかどうかを検出するのに用いられ、さらにデータを前記制御装置モジュール５に送信して判別し、関連する動作を実行する。
【００２９】
その実際の起動動作は、例えば以下の通りである。１、ガス気体センサーと空気センサーの場合、前記ガス気体センサーは主に、一酸化炭素またはその他の有害な気体を検出し、例えば、ガスが漏れている場合、筐体１の位置決め孔１２１からガスが前記ガス気体センサーに入ると、その感知データは制御装置モジュール５内に送信され、制御装置モジュール５の感知モジュールによってデータが分析された後、マイクロプロセッサモジュールによってＬＥＤ回転灯６４及びスピーカーモジュール１１１に信号をフィードバックし、聴覚及び視覚によって通知するとともに、同時にＡＰＰによってメッセージなどを送るまたは特定の使用者の携帯電話にダイヤルして通知し、注意を促す。仮に、上述の通知動作にまだ反応がないとともに、所定の危険なレベルに達した場合、インターネットによって情報（映像、住所、またはその他の設定による関連データ）が消防隊に送信される。さらに、動作はこれに限定されず、ＡＰＰを更新することで異なる連動する動作を追加することができる。その検出方法は、ガス気体センサーと同じである。上述の動作は、さらに煙霧センサーにも使用することができる。
【００３０】
２、圧力センサー、温湿度センサー、前記空気センサーは、主に筐体１外部の環境における圧力、温度・湿度、または空気中のスモッグが、一定の基準値より高くなるまたは低くなると（環境に応じてＡＰＰ内で組合せ値を設定し調整することができる）、上述のＡＰＰにより使用者に後に続く動作の処理を行う必要があるかどうかを通知する。
【００３１】
３、体温センサーは、照明の起動、泥棒の侵入または遠隔操作、…等を防ぐ目的で使用することができ、体温センサーによって環境における人の体温または移動を検出できることで、レンズ５１を起動させて録画するとともに、ＡＰＰによって使用者に通知することで、使用者はＡＰＰから通報、レンズによる録画の中止…等の連動する選択肢から後に続く動作を選択する。
【００３２】
上述の各実施例から明らかな通り、本発明は、主にモジュール化された構造を設けることにより、検出モジュール６と制御装置モジュール５が緊密に連携されて、各種異なる照明器具にさらに広く適用することができる。制御装置モジュール５が、各モジュールを駆動させて互いに対応して作動させることで、本発明は、広範囲における検出、録画及び照明の機能を備える。さらに使用目的の違いに基づいて、供給側がセンサー６２と制御装置モジュール５の構成部品を選択及び取り替えることができることで、本発明は、モジュール化され、実用性を兼ね備える。
【符号の説明】
【００３３】
１      筐体
１１    下筐体
１１１  スピーカーモジュール
１２    上筐体
１２１  位置決め孔
１２２  位置決め柱
２      電源板
３      ＬＥＤモジュール
３１    ＬＥＤ
４      モジュールベース
４１    アンテナ台
５      制御装置モジュール
５１    レンズ
５２    モジュール蓋
５３    レンズカバー
６      検出モジュール
６１    基板
６２    センサー
６３    設定表示灯
６４    ＬＥＤ回転灯
６５    マイク
６６    位置決めねじ穴
６７    検出モジュール下蓋
６８    絶縁カバー
７      回転球台
７１    球体
７２    台座
７３    固定カバー
【図１】
0006526828.tif 000002
【図２】
0006526828.tif 000003
【図３】
0006526828.tif 000004
【図４】
0006526828.tif 000005
【図５】
0006526828.tif 000006
【図６】
0006526828.tif 000007
【図７】
0006526828.tif 000008
【図８】
0006526828.tif 000009
【図９】
0006526828.tif 000010
【図１０】
0006526828.tif 000011
【図１１】
0006526828.tif 000012